Podtech/llm-jp-corpus-v4-ja_patent huggingface dataset:
(57)【要約】【課題】医療産業廃棄物物質を酸性水溶性成分含有物質組成の有効成分を抽出する方法及び製造方法・処理方法を提供する。【解決手段】本発明は、医療産業廃棄物物質を酸性水溶性被抽出物質に接触・浸透する。それは、好ましくは、電気分解酸性水導入効果で、消毒・殺菌作用が働き、抽出物が効率良く処理することを特徴とする。【選択図】なし【特許請求の範囲】
【請求項１】
医療産業廃棄物物質を電気分解酸性水に浸漬することにより、被抽出物の成分が消毒・殺菌処理効果を得ることを特徴とする。
【請求項２】
医療産業廃棄物物質成分組成抽出の液体物質・固体物質・顆粒物質・粉末物質等は、酸性水の融合性に優れ、配合組成の利便性を特徴とする。
【請求項３】
請求項２に請求項１を単独で用いても良く、また２種以上の被抽出物素材混合によって消毒・殺菌処理効果を得ることを特徴とする。
【請求項４】
請求項３において好ましくは均一・量産の電気分解酸性水を用いると良いが、酸性物質・酸化還元物質等があげられるが用途に応じて用いると良く、これ等に限られるものでもなく、想定内、同等の処理成果を得ることを特徴とする。
【請求項５】
前記、請求項１から４において本発明趣旨を逸脱しない範囲の変更は、本発明に含まれる。
【発明の詳細な説明】
【技術分野】
【０００１】本発明は、医療産業廃棄物被抽出物質から得られる含有物質の成分組成を消毒・殺菌抽出する製造方法・処理方法に関するものである。【０００２】電気分解酸性水によるｐＨ調整化合物の成分組成を大量生産が可能なことから、産業開発において期待できる。【０００３】被抽出物質の成分組成を、液体物質・固体物質・顆粒物質・粉末物質との配合組成の、利便性に関するものである。
【背景技術】
【０００４】酸性成分物質の成分・組成については，公知とされ汎用性に優れている。しかし、医療産業廃棄物の被抽出物質の性状対策がないままが実態である。成分物質を、液体物質、固体物質、顆粒物質、粉末物質等の汎用を視野に入れ、配合組成を積極的に追求でき得る技術を提供する。
【発明の開示】
【発明が解決しようとする課題】
【０００５】前記従来、配合組成、機能は類似していることから、液体物質は、液体のまま固形物質は固形のままに用いられ要しているが、本発明の、医療産業廃棄物成分抽出物質は、液体物質、固体物質、顆粒物質、粉末物質を容易に殺菌・消毒効果が得られ、しかも、複合効果を図った加工抽出は、容易に確実に処理効果が得られる。【０００６】本発明は、このような実状に鑑みなされたものであり、成分物質は水溶性成分を含有していることから電気分解酸性水を用いたｐＨ調整可能とする被抽出物質含有成分を他との配合組成でその処理の提供を目的とする。
【課題を解決するための手段】
【０００７】課題を解決するため、被抽出物質を電気分解酸性水でｐＨ調整可能とした本発明技術は、被抽出物に接触することで、抽出効果の有効成分の液体物質，固体物質、顆粒物質、粉末物質薬効成分、組成を対象多物質質構造に汎用活用を図ったことによる、好ましい選択の合理的構成が得られ、この発明に到達した。
【発明の効果】
【０００８】以上のように、本発明技術は、有効成分を無駄なく発揮され、融合性に優れ、汎用され、産業への期待は大きい【０００９】この発明は、好ましくは、医療産業廃棄物物質を浸透性のある袋状にいれ、それを酸性水中に入れ成分が濾過され、抽出物として、効率が良く製造されることを特徴とする。【００１０】天然素材の有用な酸性物質は、各地域の地域資源の利用技術となり、しかも、天然資源の活用から安定供給ができ、規模の自在設定ができることからも地域産業に貢献することを特徴とする。
【発明を実施するための最良の形態】
【００１１】本発明は、有効成分組成を濾過、抽出処理することを特徴とする。例えば、前述の被抽出物質を透水性の良い袋状に入れ、電気分解酸性水のｐＨ調整液体物質に浸漬ことで成果を得た。固体物質、顆粒物質、粉末物質薬効成分組成加工を図ることの汎用性。つまり、選択による好ましい処理効果が得られる。【００１２】上記技術でもって、有効物質の含有する成分を効率よく抽出できる。成分を多く含む処理効果を得ることができる。
前述の好ましくは電気分解酸性水を用いるのが良いが、酸性物質・酸化還元水等の用いることに限るものではなく、発明趣旨を逸脱しない範囲の変更は本発明に含まれることを特徴とした。
【産業上の利用可能性】
【００１３】本発明の、成分組成の抽出する方法及び製造方法は、天然素材加工技術によることを特徴としている。【００１４】上記、地域の天然資源を活用することで産業上の利用可能性を有する。
(57)【要約】      （修正有）【課題】ベッドや布団上での筋力強化訓練を希望する方々が多い中、従来の運動療法器具は大きいものが多く重量もあり、家庭やベッドサイドで使用できる器具がなかった。また筋力が低下している方でも簡単に運動できる器具を提供する。【解決手段】ベッド・もしくは布団上で下肢の筋力強化訓練が簡単に出来るよう置き型タイプでコンパクトな運動療法器具を開発した。他人の手を借りなくても運動が出来るように、下腿後面から足部にかけて置き場ａを作り、上面から吊るす事によって、抵抗運動が可能な設定となっている。足を乗せても下肢全体が浮いている状態のため、関節への負担が小さく、筋力を強化する事が可能となっている。【選択図】図１
2012125530.tif 000002
【特許請求の範囲】
【請求項１】
ベッド・もしくは布団上で下肢の筋力強化訓練が簡単に出来る置き型タイプのコンパクトな運動療法器具
【請求項２】
他人の手を借りなくても運動が出来るように、下腿後面から足部にかけて置き場を作り、上面から吊るす事によって、抵抗運動が可能な設定となっている。
【請求項３】
足を乗せても下肢全体が浮いている状態のため、関節への負担が小さく、筋力を強化する事が可能となっている。
【発明の詳細な説明】
【技術分野】
【０００１】  本発明は筋力強化訓練を図った器具に関する。
【発明の概要】
【発明が解決しようとする課題】
【０００２】  ベッドや布団上での筋力強化訓練を希望する方々が多い中、従来の運動療法器具は大きいものが多く重量もあり、家庭やベッドサイドで使用できる器具がなかった。【０００３】  従来、筋力が低下している方でも簡単に運動できる器具がなかった。
【課題を解決するための手段】
【０００４】  本発明は、ベッド・もしくは布団上で下肢の筋力強化訓練が簡単に出来る置き型タイプのコンパクトな運動療法器具である。【０００５】  他人の手を借りなくても運動が出来るように、下腿後面から足部にかけて置き場を作り、上面から吊るす事によって、抵抗運動が可能な設定となっている。【０００６】  足を乗せても下肢全体が浮いている状態のため、関節への負担が小さく、筋力を強化する事が可能となっている。
【発明の効果】
【０００７】  現在勤務先の病院にて患者様に使用しているが、下肢の筋力が強化され、疼痛の消失・軽減や歩行動作の向上が見られる方々がいる。
【実施例】
【０００８】  勤務先の病院にて開発した器具を患者様に使用して頂いている。
【産業上の利用可能性】
【０００９】  医療用および介護用の器具として利用可能ではないかと思っている。
【図面の簡単な説明】
【００１０】
【図１】器具の正面図
【図１】
2012125530.tif 000003
(57)【要約】      （修正有）【課題】調理タイマーを使って即席カップ麺を作る時、蓋フイルムが、めくれ上がらない押さえ蓋を提供する。【解決手段】蓋フイルムの押さえに役立つ凹型円形の蓋と調理タイマーとを一体にすることによって、より押さえ効果を高くして、蓋フイルムのめくれ上がりが解消したので、余分な手間をかけることなく、即席カップ麺等の出来上がりを待つことが出来、その利便性は高い。【選択図】図２
2012125523.tif 000002
【特許請求の範囲】
【請求項１】
図１に示す様、凹型円形蓋１上部に調理タイマー２を組み合わせた即席カップ麺等を作る時に使用する調理器具。
【発明の詳細な説明】
【技術分野】
【０００１】  本発明は、調理用器具に関するものである。
【発明の概要】
【発明が解決しようとする課題】
【０００２】  即席カップ麺等は、カップ上部を密閉する蓋フイルムを適度に剥がし上げ熱湯を注ぎ入れた後、蓋フイルムを戻し、調理タイマー等をセットして出来上がりを待つが、その際、剥がし上げたことによる反りの付いた蓋フイルムは、それと一体形成する突き出しつまみ部を下方に折り曲げるものの、そのフック効果は至って弱いため、その箇所を中心に蓋フイルムが反り上がってしまうことが多々ある。従ってカップ麺等によってはシール付き商品もあるが、その張り付けと剥がしの面倒は否めない。
【課題を解決するための手段】
【０００３】  本発明は、これを解決するために、図１に示す様、ずれ防止のため凹型とする円形蓋１の上部に、電池式等の調理タイマー２を組み合わせ形成する。
【発明の効果】
【０００４】  図２示す様、本発明は即席麺等の入ったカップ内に熱湯を注ぎ入れ、剥がし上げた蓋フイルムを戻したその上面に、凹型とする円形蓋部１をかぶせるものである。それによって上部調理タイマーも含む、重し代わりの効果として、カップ内の熱温が逃げることとなる蓋フイルムのめくれ上がりを防止出来るものであり、それに加えて即座に調理タイマーをセット出来る。又、凹型円形蓋１と調理タイマー２とを、ネジ部形成等によって切り離し可能とすれば、これより直径の大きい凹型円形蓋との組み合わせが出来、その上調理タイマーの電池交換も容易に出来る。
【図面の簡単な説明】
【０００５】
【図１】  一部を断面とする本発明の形態を示す側面図
【図２】  本発明の使用を示す斜視図
【符号の説明】
【０００６】  １  凹型とする円形蓋部
２  調理タイマー部
３  熱湯を注ぎ入れた即席麺等が入ったカップ
【図１】
2012125523.tif 000003
【図２】
2012125523.tif 000004
(57)【要約】【目的】身体に良いにんにくを、丸ごと買わずに必要な時に一片ずつ購入でき、皮をむく手間や手を汚すこともなく、そのまま袋ごと電子レンジにて加熱調理が出来る、今までは調味料や薬味的存在であったが、ストレスの多い単身赴任者や調理を苦手とする若者でも、簡単に食べやすくなる事を目的とする。【構成】にんにくの皮をむき、洗浄後水分を取り除き、酸化や劣化を防止する袋に１個ずつ個包装して販売するものであります。【特許請求の範囲】
【請求項１】
にんにくのむき身を１個ずつ個包装で販売する、その際にそのまま電子レンジで調理できる事と保存性を考えて活性素材袋を使用する。
【請求項２】
更に消費期限を延ばす為には傷口やもしくは全体を、そのまま食べられる食材でコーティングをする。
【発明の詳細な説明】
【技術分野】
【０００１】  本発明は、生にんにくをバラバラにし、１欠片ずつ皮をむいた状態で個包装し、更に簡単な食べ方も紹介しながら販売する方法に関するものであります。
【背景技術】
【０００２】  現在小売り店で販売されている生にんにくは、球売りで皮付が主でありそれを購入するしかありません。そして使う時に皮をむいてから料理に使うことが一般的です。日持ちさせる為には有効ですが、調理時に手間がかかります。【０００３】  業者向け、いわゆるレストランや焼肉屋さんの様に多量の購入をされる方には、むき身の５００ｇや１ｋｇ入り等で扱っているものも有るが、保存性を考えて冷凍品であります。つまり生にんにくのむき身商品が店頭にて小売り販売されていないのが現状であります。【０００４】  また、身体に良い事は分かっていても、簡単に食べる方法が紹介されず、そのまま食べるには馴染みの薄い食材でも有りました。昨今は韓国食材の流入によりにんにくが再認識されて来た事と、アメリカにて行われたデザイナーフーズ計画によってにんにくの良さが紹介された事と、国内でも多くの専門家による著書等、にんにくの良さや、料理が各メディアで取り上げられている影響もあり、にんにくの消費量が増えて来ております。【０００５】
【発明の開示】
【発明が解決しようとする課題】
【０００６】  にんにくの皮むきは簡単そうに見えても意外と手間のかかる作業であります。その為に手間を省き手軽に使える様にむき身にし、更に日持ちも考えて、一個ずつの個包装にする事によって、使いたい時に簡単に一個ずつ使えるようにして販売をする。【０００７】
【課題を解決するための手段】
【０００８】  皮をむいたにんにくは傷みやすい、野菜全般に言える事ですが傷の付いた所や切り口等は特に傷みやすい、さらに鮮度を保持する為に個包装にする。しかし完全密閉では例え真空にしてもガスの発生で、袋自体パンパンにふくれてしまう。そこでガス抜き穴を付ける事により日持ちが格段に伸びる。また使用する袋には脱酸素剤の様なものを入れても良いが、無駄にゴミを増やしたりコストアップにつながるために、活性素材袋を使用する事で酸化防止、劣化防止に貢献し多少でも日持ち期間を延ばす事ができる。【０００９】  さらにその状態で低温保存すると、例えば４℃以下や、また０℃前後、さらに冷凍すれば格段に伸ばす事は可能だが、出来るだけ冷凍を避ける為に、皮をむく際に傷を付けた部分は中からの水分により傷みが早いので、それを防ぐために切り口部には、そのまま口にしても害にならない食品、例えばでんぷん質、片栗粉やコーンスターチ、また粘液質、寒天やゼリー、こんにゃく等々の様にゲル状の物質や塗膜性の物質により傷口を保護する事も、消費期限を延ばすために必要である。
【発明の効果】
【０００９】  一球ごと買う必要が無くなる、必要な時に一片ずつ購入できる、皮をむく手間がいらない、そのまま袋ごと電子レンジにて加熱調理が出来るため、手を汚すこともない。今までは調味料や薬味的存在であったが、ストレスの多い単身赴任者や調理を苦手とする若者でも、身体に良いにんにくが、簡単に食べやすくなるのであります。
(57)【要約】      （修正有）【課題】従来の粘着型、落下式のネズミ捕りの欠陥を補い、ネズミの誘導が容易で、確実に捕獲するネズミ捕りを提供する。【解決手段】バネを使用せず、箱に誘導して、エサに触れれば内箱が落下して閉じ込めるタイプであり、ネズミの警戒心を引き起こさないため、捕獲が容易に行える。エサのニオイにつられたねずみの動きを利用して内箱が落下する仕組みを施し、ネズミを閉じ込め捕獲する。【選択図】図６
2012100641.tif 000002
【特許請求の範囲】
【請求項１】
外箱と内箱を利用し、エサの棒にかけた紐で内箱を吊るし、エサに触れた瞬間に紐がはずれ内箱が落下する仕組み。
【発明の詳細な説明】
【技術分野】
【０００１】同じ型で外箱と内箱（外箱より少し小さい）を用意し、内箱を外箱の中に入れます。内箱が底に落ちるように、内箱の両淵にひもを吊るすように付けます。外箱はネズミが入れるくらいの入口の穴を空け、外箱の外の中心よりエサを付けられるように敷いた細い棒を立て、内箱に付けたひもを立てた棒の上に乗せます。そのとき、入口が見えるまで内箱のひもを上げて棒に乗せます。外箱の入口が広いので入り易く、ネズミがエサ棒に触れた瞬間に、底板から棒がずれて、吊るしてあるひもがエサ棒から外れ、内箱が落下し、入口をふさぎます。
【背景技術】
【０００２】バネを使わず、エサに触れることで内箱を落下させるので、ネズミの警戒心を最小限に抑えて箱の中に誘導、確実に捕獲させます。
【発明が解決しようとする課題】
【０００３】従来のバネ式ネズミ捕りは仕掛けがむずかしかったり、ネズミが警戒するなどのデメリットがあった。また粘着型ネズミ捕りではネズミが警戒して避けて通られたり、ネズミの大きさによっては捕獲できないものがあった。
【課題を解決するための手段】
【０００４】エサを箱の中に入れておくだけで、ニオイにつられ箱の入口から警戒心なく中に入って来ます。エサに触れれば内箱が即座に落下し、入口を塞ぎ捕獲できます。
【発明の効果】
【０００５】エサに行くまでネズミが警戒心をおこす障害物やニオイもなく、簡単に確実にネズミを捕獲します。
【図面の簡単な説明】
【０００６】
【図１】図１＝外箱、
【図２】図２＝内箱、
【図３】図３＝紐を取り付けた内箱、
【図４】図４＝エサ棒
【図５】図５＝内箱を外箱にセットした状態、
【図６】図６＝内箱が落下しネズミを捕獲した状態
【図１】
2012100641.tif 000003
【図２】
2012100641.tif 000004
【図３】
2012100641.tif 000005
【図４】
2012100641.tif 000006
【図５】
2012100641.tif 000007
【図６】
2012100641.tif 000008
(57)【要約】【課題】車軸と軸孔との摩擦を軽減し、滑らかな回転をすることができるキャスター用車輪を提供する。【解決手段】本発明のキャスター用車輪１は、車軸４を挿し通す軸孔２を有し、前記軸孔２の内周面２１に螺旋状の筋状溝３を設けたことを特徴とする。また、筋状溝３を、複数設けることもできる。  このような車輪１は、筋状溝３により、オイルが軸孔２の内部まで流れ込み、車軸４の表面にオイルを塗布することができ、滑らかな回転になるものである。【選択図】図１
2012192869.tif 000002
【特許請求の範囲】
【請求項１】
車軸を挿し通す軸孔を有するキャスター用車輪であって、前記軸孔の内周面に螺旋状の筋状溝を設けたキャスター用車輪。
【請求項２】
前記筋状溝を、複数設けた請求項１に記載のキャスター用車輪。
【発明の詳細な説明】
【技術分野】
【０００１】
本発明は、スーツケース等の鞄などに取り付けるキャスター用車輪に関する。
【背景技術】
【０００２】
従来のキャスターは、車輪に中心に軸孔を設け、そこに車軸を挿し通して車輪が回転できるようにしてあるものが多い。しかし、軸孔に埃などが入り込み車輪が滑らかに回転しないことがあった。また、車軸と軸孔との摩擦により、車輪が滑らかに回転しないことがあった。
そこで、シャフト穴の穴壁に、リング状ルートに延びた凹溝又は凸縞が設けられたキャスター装置が開発され、埃を侵入させにくくし、摩擦を低減させている（下記特許文献１参照）。
【０００３】
また、車軸の表面にシリコンオイル、グリースなどのオイルを塗布することによっても、車輪を滑らかに回転させることができる。しかし、長期間使用していればオイル切れを起こすことがあるため、定期的にメンテナンスを行う必要がある。
そこで、ホイール部の表面に放射状溝を設け、注油を容易に行うことができるようにしたキャスター用車輪が開発されている（下記特許文献２参照）。
【０００４】
【特許文献１】実登第３１３７７８５号公報
【特許文献２】特開２０１０−４２７５１号公報
【発明の概要】
【発明が解決しようとする課題】
【０００５】
このように、キャスターの車輪は、滑らかに回転をさせるべく日々改良されている。本発明者は、鋭意研究し、滑らかに回転するキャスター用車輪を開発した。
【０００６】
そこで、本発明の目的は、車軸と軸孔との摩擦を軽減し、滑らかな回転をすることができるキャスター用車輪を提供することにある。
【課題を解決するための手段】
【０００７】
本発明のキャスター用車輪は、車軸を挿し通す軸孔を有するキャスター用車輪であって、前記軸孔の内周面に螺旋状の筋状溝を設けたことを特徴とする。
【０００８】
本発明のキャスター用車輪は、軸孔の内周面に螺旋状の筋状溝を設けたことにより、注油したオイルが筋状溝を流れ、軸孔の内部まで行き渡り、車軸の表面に塗布されるので、車輪の回転が滑らかになるものである。
【図面の簡単な説明】
【０００９】
【図１】本発明の一実施形態のキャスター用車輪の概略斜視図である。
【図２】図１の車輪の軸孔を示した拡大斜視図である。
【図３】図１の車輪の縦断面図である。
【図４】本発明の他の実施形態のキャスター用車輪における軸孔を示した拡大斜視図である。
【発明を実施するための形態】
【００１０】
以下、本発明を、一実施形態に基づいて説明する。ただし、本発明は、この実施形態に限定されるものではない。
【００１１】
本発明の一実施形態のキャスター用車輪１は、図１に示すように、車軸４を挿し通す軸孔２を有し、この軸孔２の内周面２１に螺旋状の筋状溝３を設けたことを特徴とするものである。
【００１２】
車輪１は、鉄、アルミニウムなどの金属やポリスチレンなどの合成樹脂等から形成することができ、中心に軸孔２が形成してあり、軸孔２に車軸４を挿し通し、車輪１が回転できるようにしてある。車輪１の周縁部にはゴムなどを取り付けることもできる。
【００１３】
軸孔２は、図２に示すように、内周面２１に螺旋状の筋状溝３が形成してあり、筋状溝３は軸孔２の全長に渡り形成してある。
【００１４】
筋状溝３は、注油したオイルを内部まで流れやすくするものであり、特に限定するものではないが、幅を０．１ｍｍ〜２ｍｍ、特に０．５ｍｍ〜１ｍｍにするのが好ましく、深さを０．１ｍｍ〜２ｍｍ、特に０．５ｍｍ〜１ｍｍにするのが好ましい。筋状溝３の幅及び深さは、一定に作成するのが好ましい。
筋状溝３は、例えば、射出成型などで車輪１を作製し、螺旋状の凸条を形成した金型を捻り抜くことにより形成することができる。
【００１５】
車軸４は、鉄、アルミニウムなどの金属やポリスチレンなどの合成樹脂等から形成することができる。車軸４は、軸孔２と略同じ直径にして軸孔２に隙間なく挿し通すことが好ましく、埃などの侵入を防ぐことができる。
注油するオイルは、特に限定するものではないがシリコンオイルなどを好ましく用いることができる。
【００１６】
キャスター用車輪１は、軸孔２の内周面２１に螺旋状の筋状溝３を設けたため、軸孔２と車軸４との隙間付近に注油したオイルが筋状溝３を流れ、内部まで到達し、車軸４の表面に塗布されるため、車輪１の回転が滑らかなものになる。
【００１７】
上記形態では、一条の筋状溝３を設けたが、筋状溝を複数設けた形態としてもよく、この場合は、等間隔で筋状溝を設けるのがよい。例えば、図４に示すように、三条の筋状溝３ａ〜３ｃを設けた形態とすることもでき、それぞれを軸孔２ａの開口端面において１２０度ずつずらした箇所（Ａ点〜Ｃ点）から形成するのが好ましい。
このように複数の筋状溝３ａ〜３ｃを設けることにより、軸孔２ａの内部にオイルがより流れ込みやすくなる。
【符号の説明】
【００１８】
１キャスター用車輪  ２軸孔  ２１内周面  ３筋状溝  ４車軸
【図１】
2012192869.tif 000003
【図２】
2012192869.tif 000004
【図３】
2012192869.tif 000005
【図４】
2012192869.tif 000006
(57)【要約】【課題】往来の方法でのコイルを利用した磁気治療器は磁場の発生する範囲がその形状と電流値によりおのずから決まるという問題と人の脈拍と連動して周波数を調整していないという問題があった。【解決手段】本発明は、可動式の磁性体で接点を持たせたコイルを磁気発生手段として利用することにより、往来の方法では困難であった範囲で磁場を発生させ、且つ、制御部でコイルへの電気信号を正弦波、三角波、矩形波に切替え、その各々の波形の周波数を人の脈拍と連動して調整することで、個人差のある肩こり等の治療をより効果的にすることが出来る。【選択図】図1
2012192070.tif 000002
【特許請求の範囲】
【請求項１】
可動式の磁性体で接点を持たせたコイル、または可動式の磁性体で接点を持たせた複数のコイルを磁力発生装置とし、且つコイルから発生する磁場を縦方向に人の脈拍と連動して作用させることを特徴とする磁気治療器。
【請求項２】
請求項1に記載のコイルを駆動する手段として、電気信号を正弦波、三角波、矩形波に
切替が出来る制御部を持つことを特徴とする磁気治療器。
【発明の詳細な説明】
【技術分野】
【０００１】
本発明は可動式の磁性体で接点を持たせたコイル、または可動式の磁性体で接点を持たせた複数のコイルを磁気発生手段とし磁気ループを人の脈拍と連動して発生させることで、人体への磁気の影響範囲を容易に変化させることが出来る磁気治療器に関するものである。
【背景技術】
【０００２】
往来の細長型のコイルを利用した磁気治療器はその形状から人体に対し長手方向にしか影響を与えられず磁場の発生する範囲がその形状と電流値によりおのずから決まるという問題があった。また、往来のコイルを人体に対し縦方向に作用させる磁気治療器も、単体のコイルであることで磁場の発生する範囲がその形状と電流値によりおのずから決まるという問題があった。さらに、周波数の調整は出来るものの人の脈拍と連動して磁気を発生
させる発想はなかった。
【発明の開示】
【発明が解決しようとする課題】
【０００３】
本発明は、このような往来のコイルを利用した磁気治療器が有していた問題を解決しようというものであり、可動式の磁性体で接点を持たせたコイル、または可動式の磁性体で接点を持たせた複数のコイルを磁気発生手段とし、往来の方法では困難であった範囲で磁場を発生させ、且つ、人の脈拍と連動することにより、人本来の自然治癒力を最大限に高め、個人差のある肩こり等の治療をより効果的にするために考えたものである。
【課題を解決するための手段】
【０００４】
上記の課題を解決するために、本発明の可動式の磁性体で接点を持たせたコイル、または、可動式の磁性体で接点を持たせた複数のコイルを磁気発生手段とし、発生させた磁気を人の脈拍と連動させて人体に対し縦方向で作用させ、また、制御部でコイルへの電気信号を正弦波、三角波、矩形波に切替える。図1のように可動式の磁性体で接続した磁心に連続した電線を巻き、接続させる磁性体の寸法や数量並びに制御部での電気信号波形の切替で容易に発生させる磁場の範囲を変化させ、人体への影響度を容易に変化させることが出来ることを特徴とする。
【発明の効果】
【０００５】
上述したように本発明では、往来の細長型のコイルを人体に対し長手方向に作用させたり、人体に対しては縦方向であっても単体のコイルを利用した磁気治療器とは異なり、可動式の磁性体で接点を持たせたコイルを利用することで、磁束の漏れを減らし、整え、且つ治療したい部位に適切な電気信号の波形で発生させる磁場を変化させることが出来、往来の磁気治療器での問題を解決するという効果を発揮するものである。
【発明を実施するための最良の形態】
【０００６】
以下、本発明の実施形態を図1、図2に基づいて説明する。
【０００７】
図1は本発明の実施形態に係り、図2は請求項1に関する基本図である。
【０００８】
図1は本発明の実施形態の１例を示した図である。図1に示すように可動式の磁性体で接点を持たせたコイルを磁力発生手段とした１本ないしは複数の人体への装着部を本体の駆動部へ接続する。本体の駆動部ではコイルへの電気信号を正弦波、三角波、矩形波に切替える調整つまみとその各々の波形の周波数の調整をするための脈拍センサと電流出力調整つまみを備えている。
【０００９】
図5は人体への装着部を正面から見た図である。この時接続する可動式の磁性体は折り曲げ加工をしてもよく、また必ずしも１枚の板でなくとも、キャタピラ状の連続した磁性体のコマでも可能である。
つまり、人体への装着面と逆側で閉じられた磁気回路を構成することが肝要である。
【特許文献１】登録実用新案第3009733号
【図面の簡単な説明】
【００１０】
【図１】本発明の実施実態の1例を示す図
【図２】本発明の人体への装着部を示す正面図
【符号の説明】
【００１１】
1  装着部
2  本体
3  周波数調整用脈拍センサ
4  出力調整つまみ
5       
出力信号波形切替つまみ
6  周波数表示部
7  出力表示部
8  装着部コイル
9  可動式の磁性体の接続部
【図１】
2012192070.tif 000003
【図２】
2012192070.tif 000004
(57)【要約】【課題】本発明は、油塗布装置に関し、従来のスプレイ式の油塗布装置においては、短時間で広範囲に塗布することができないことが課題であって、それを解決することである。【解決手段】対象物４に油をノズルの噴射口から塗布する装置であって、ミスト装置２によって油を前記噴射口に粒子の大きさを１〜２μmの所要範囲に霧化して前記ノズル１に供給し、当該ノズル１に霧化されて供給された油を静電方式により前記対象物４に塗布する、とした油塗布装置Ａとするものである。【選択図】図１
2012192336.tif 000002
【特許請求の範囲】
【請求項１】
対象物に油をノズルの噴射口から塗布する装置であって、ミスト装置によって油を前記噴射口に粒子の大きさを１〜２μmの所要範囲に霧化して前記ノズルに供給し、当該ノズルに霧化されて供給された油を静電方式により前記対象物に塗布すること、
を特徴とする油塗布方法。
【請求項２】
ミスト装置と、該ミスト装置の吐出口と管を介して連結されたノズルと、該ノズルに高電圧を印加して霧化された油に帯電させる高電圧装置と、油塗布対象物を接地させるアース線とでなること、
を特徴とする油塗布装置。
【発明の詳細な説明】
【技術分野】
【０００１】
本発明は、機械類の摺動部や回転する軸受け更に工具などに微粒子の油滴を供給する油塗布方法とその装置に関するものである。
【背景技術】
【０００２】
従来、油の塗布方法として、空気を利用したスプレイ式が一般的に使用されている。この使用方法は、方向性を持たせ且つ対象物に油を確実に塗布するため、ノズルの径を小さくし空気の圧力を高くして使用している。その為、吹付け面積が小さいので広範囲に塗布したい場合、ノズルと対象物の距離を離して塗布を行うようにしている。このようなスプレイ式の油塗布装置として特許文献１のようなものが知られている。
【先行技術文献】
【特許文献】
【０００３】
【特許文献１】特開２００４−６６０８１号公報
【発明の概要】
【発明が解決しようとする課題】
【０００４】
しかし、従来の油塗布装置では、広範囲に塗布するために距離を離すと吹き付ける圧力も下がり、対象物に油が付着せずに周囲に油が逃げてしまう。また、ムラなく薄く塗布することができない。その為、吹き付け面積が小さくなり、狭い範囲にしか塗布できず、微少量塗布することができないものである。本発明に係る油塗布装置は、このような課題を解決するために提案されたものである。
【課題を解決するための手段】
【０００５】
本発明に係る油塗布方法の上記課題を解決して目的を達成するための要旨は、対象物に油をノズルの噴射口から塗布する装置であって、ミスト装置によって油を前記噴射口に粒子の大きさを１〜２μmの所要範囲に霧化して前記ノズルに供給し、当該ノズルに霧化されて供給された油を静電方式により前記対象物に塗布することである。
【０００６】
本発明に係る油塗布装置の要旨は、ミスト装置と、該ミスト装置の吐出口と管を介して連結されたノズルと、該ノズルに高電圧を印加して霧化された油に帯電させる高電圧装置と、油塗布対象物を接地させるアース線とでなることである。
【発明の効果】
【０００７】
本発明の油塗布方法とその装置によれば、油滴を１〜２μmの小さな粒径にして、さらに、これを静電によるクーロン力と空気の流れによって、対象物に油を確実に付着させることができる。更に、吹き付け圧力を小さくすることができるので、駆動ファン，モータ等の省エネとなってコスト低減となる、と言う優れた効果を奏するものである。
【図面の簡単な説明】
【０００８】
【図１】本発明に係る油塗布装置Ａの概略構成図である。
【図２】同本発明の油塗布装置Ａによる付着測定の結果を示す説明図である。
【発明を実施するための形態】
【０００９】
本発明に係る油塗布装置Ａは、図１に示すように、ミスト装置２と静電式塗布装置（３，５）とを組み合わせたものである。
【実施例１】
【００１０】
前記油塗布装置Ａは、図１に示すように、ミスト装置２と、該ミスト装置２の吐出口と連結管２ａを介して連結されたノズル１と、該ノズル１に高電圧を印加する高電圧装置３と、油塗布対象物４を接地させるアース線５とでなる。
【００１１】
前記ミスト装置２は、例えば、油の粒径を１〜２μmにする。そのため、ノズル１は、ミニフォッガー若しくはクイックフォッガーとするとともに、液体と空気との二流体ノズルとする。また、ノズル１の径は、ミスト装置２で霧化された油のミストを液化させずに吐出するので、１μｍ〜２μｍ程度に大きくすることができる。
【００１２】
なお、このミスト装置２の吐出口に、塗布の対象物４を近接させて設置できれば良いのであるが、ミスト装置の大きさから制限されるので、連結管（例えばナイロンチューブ）２ａを介して、前記対象物４に油を塗布するものである。
【００１３】
前記高電圧装置３は、公知の方式であり、前記ノズル１に搬送され霧化された油に印可して帯電させるものである。帯電され粒径が１〜２μmの油は、前記ミスト装置２の噴射された空気によって搬送されるとともに、対象物４が接地されているのでクーロン力で付着するものである。
【００１４】
前記帯電され粒径が１〜２μmの油が、対象物４に付着する程度を電圧との関係で実験してみると、図２に示すように、電圧を上げていくと付着率が向上していることが判る
。かかる実験では、対象物４（２００ｍｍ×４００ｍｍ）として、それに付着した油量は０．２４ｇ、（１５分測定）、１ｃｍ２あたりの油量は、０．０００３ｇ／ｃｍ２，対象物４とノズル１との距離は、３０ｃｍである。
【００１５】
以上のような油塗布装置Ａを形成して、対象物４に油を塗布すると、広い範囲に塗布することができる。また、吹き付け圧力も、確実に油を対象物４に付着させるため、従来は０．２〜０．４ＭＰａで塗布していたが、０．０１ＭＰａ以下の吹き付け圧力で行う。これは、吹き付けの圧力が高いと油の粒子同士がぶつかり合って大きくなるからである。
【００１６】
このように、本発明に係る油塗布方法は、対象物４に油をノズル１の噴射口から塗布する装置であって、ミスト装置２によって油を前記ノズルの噴射口に粒子の大きさを１〜２μmの所要範囲にして供給し、当該ノズル１に霧化されて供給された油を静電方式により前記対象物に塗布するのである。
【産業上の利用可能性】
【００１７】
本発明に係る油塗布方法とその装置とは、油に限らず他の物質の塗布にも適用することが出来るものである。
【符号の説明】
【００１８】
Ａ          油塗布装置、
１          ノズル、
２          ミスト装置、            ２ａ          連結管（ナイロンチューブ）、
３          高電圧装置、            ３ａ          ケーブル、
４          対象物、
５          アース線、
６          アース（大地）。
【図１】
2012192336.tif 000003
【図２】
2012192336.tif 000004
(57)【要約】【課題】  入口側に別個のバルブを取り付ける必要が無く、且つ、スクリーンに固着した異物を確実に除去することのできるストレーナを得ること。【解決手段】  本体３に入口１と出口２とフィルタ部４を形成する。入口１と出口２の中央部に弁座５を形成し、弁座５に対向して弁体７配置する。弁体７には連結棒８を介してハンドル９を連結する。弁体の下部には延長棒１０を接続して掃除部材６を取り付ける。  ハンドル９を回転して延長棒１０を回転することによって、掃除部材６の先端がフィルタ部４の内周面に接触してフィルタ部４を掃除することができる。  ハンドル９を回転して弁体７を弁座５へ着座させることによって、入口１からの流体はフィルタ部４へ達することがない。【選択図】  図１
2012192317.tif 000002
【特許請求の範囲】
【請求項１】
入口と出口の間を多数の小径貫通孔を有したフィルタ部で区画して、当該フィルタ部で区画された一面側を入口と連通し他面側を出口と連通し、フィルタ部で入口から出口へ流下する流体中に含まれている異物を捕捉して、出口へ異物の除かれた流体を流下するものにおいて、フィルタ部の入口側に弁座を形成して、当該弁座に対向して弁体を配置し、当該弁体を外部から開閉操作するハンドルを接続し、弁体のハンドル接続方向とは反対側で且つフィルタ部の内周側に延長棒を接続して、当該延長棒に掃除部材を取り付けたことを特徴とするストレーナ。
【発明の詳細な説明】
【技術分野】
【０００１】
本発明は、水や圧縮空気や蒸気等の各種流体配管に取り付けて、内部に設けたフィルタ部で流体中に混入している錆や固形粒子等の異物を捕捉するストレーナに関し、特にフィルタ部で捕捉されフィルタ部内周面に固着した異物を除去することのできるストレーナに関する。
【背景技術】
【０００２】
従来のストレーナの一例が特許文献１に示されている。これは、流出路とブロー通路にそれぞれ弁部材を取り付けて、スクリーン内周面に溜まった異物を、ブロー通路の弁部材を開弁することにより入口からの流体流れによって、外部へブローして除去することができるものである。
【先行技術文献】
【特許文献】
【０００３】
【特許文献１】特開平７−３０３８０７号公報
【発明の概要】
【発明が解決しようとする課題】
【０００４】
上記従来のストレーナは、ストレーナ自身を分解するためにストレーナ内部の流体の流れを停止しなければならず、そのためにストレーナの入口側に別個のバルブを取り付ける必要があり形状が大きくなると共に、スクリーン内周面の異物を確実に除去することができない問題がある。
【０００５】
従って、本発明が解決しようとする課題は、入口側に別個のバルブを取り付ける必要が無く、且つ、スクリーンに固着した異物を確実に除去することのできるストレーナを得ることである。
【課題を解決するための手段】
【０００６】
上記の課題を解決するために、本発明のストレーナは、入口と出口の間を多数の小径貫通孔を有したフィルタ部で区画して、当該フィルタ部で区画された一面側を入口と連通し他面側を出口と連通し、フィルタ部で入口から出口へ流下する流体中に含まれている異物を捕捉して、出口へ異物の除かれた流体を流下するものにおいて、フィルタ部の入口側に弁座を形成して、当該弁座に対向して弁体を配置し、当該弁体を外部から開閉操作するハンドルを接続し、弁体のハンドル接続方向とは反対側で且つフィルタ部の内周側に延長棒を接続して、当該延長棒に掃除部材を取り付けたことを特徴とするものである。
【発明の効果】
【０００７】
本発明によれば、フィルタ部の入口側に弁座を形成して弁体を配置したことにより、別個のバルブを必要とすることが無く、また、フィルタ部の内周側に掃除部材を取り付けたことにより、ハンドルを開閉操作することで掃除部材によってフィルタ部の内周面に固着した異物を機械的に確実に除去することができ、フィルタ部の目詰りを防止することができる。
【図面の簡単な説明】
【０００８】
【図１】本発明の実施の形態に係るストレーナの断面図である。
【発明を実施するための形態】
【０００９】
以下、本発明の実施の形態について、図１を参照して説明する。入口１と出口２を設けた本体３、入口１と出口２の間を区画する円筒状のフィルタ部４、及び、フィルタ部４の入口１側部と連通した一面側の円筒空間に配置した掃除部材６とでストレーナを構成する。
【００１０】
円筒状のフィルタ部４には図示はしないが多数の小径貫通孔をその全周及び全長に渡って設けて、入口１からフィルタ部４の円筒内部空間を経て出口２へ流下する流体中に混入している異物を越し取るものである。従って、フィルタ部４で越し取られた異物は、フィルタ部４の内周面に付着して溜まる。
【００１１】
フィルタ部４の入口側で入口１と出口２の中央部に弁座５を形成する。弁座５に対向する斜め上部に円板状の弁体７を配置し、弁体７に連結棒８を介してハンドル９と連結する。弁体７のハンドル９接続方向とは反対側で且つフィルタ部４の内周側に延長棒１０を接続する。延長棒１０には多数のブラシ状の掃除部材６を取り付ける。掃除部材６は金属製ワイヤーで製作する。掃除部材６の先端がフィルタ部４の内周面に接触することのできる長さとする。ハンドル９を回転操作することによって、掃除部材６の先端がフィルタ部４の内周面をクリーニングすることができるものである。
【００１２】
図１に示す状態は弁体７が弁座５から離座した状態であるが、ハンドル９を回転操作することで、弁体７が弁座５に着座した状態とすることもでき、このようにすると入口１から流体がフィルタ部４へ流下しなくなり、フィルタ部４を本体３から取り外す場合に、ストレーナの入口側に別個のバルブを設ける必要が無い。
【産業上の利用可能性】
【００１３】
本発明は、フィルタ部を１個のみならず複数個取り付けたストレーナとしても利用することができる。
【符号の説明】
【００１４】
１  入口
２  出口
３  本体
４  フィルタ部
５  弁座
６  掃除部材
７  弁体
８  連結棒
９  ハンドル
１０  延長棒
【図１】
2012192317.tif 000003
(57)【要約】【課題】洗濯後に干す場合、干す場所を多く必要とするタオル・マット等をハンガーを利用して、シャツ１枚干す場合と同等のスペースで干すことのできるタオル・マット類を提供する。【解決手段】タオル・マット等にハンガーを出し入れ固定することのできる袋を備え、その袋の穴、または、タオル・マット等の本体にもうけた穴からハンガーの柄を出すことにより、ハンガーでシャツを干すのと同様の方法でタオル・マット等を干すことが可能である。タオル・マット等に出し入れ固定する袋をもうける場合と、本体に穴をもうける場合と、その両方をもうける場合とが可能である。【選択図】図１
2012192146.tif 000002
【特許請求の範囲】
【請求項１】
タオル・マット等にハンガーを固定する袋を備え、その袋の穴からハンガーの柄を出し、ハンガーを使ってシャツを干す場合と同様の方法で、洗濯後干すことのできるタオル・マット類。
【請求項２】
タオル・マット等の本体部分にもうけた穴からハンガーの柄を出し、ハンガーでシャツを干す場合と同様の方法で洗濯後干すことのできるタオル・マット類。
【請求項３】
ハンガーを固定する袋備え、その袋からハンガーの柄を出す穴と、本体部分にハンガーの柄を出す穴との両方を備えたタオル・マット類。
【発明の詳細な説明】
【技術分野】
【０００１】  この発明はタオル・マット等の構造に関し、洗濯後ハンガーを使い、効率よく干す構造に関わる。
【背景技術】
【０００２】  従来から、大きなサイズのタオル・マット等は、他の洗濯物と比べ干すスペースを広く使う為、多くの洗濯物と一緒に干す場合、物干し場所を広くするか、洗濯物の間隔を狭く干す等しなければならない。
【発明の概要】
【発明が解決しようとする課題】
【０００３】  しかしながら、物干し場所の形状や家族構成によっては、十分な物干し場所を確保することが困難な場合がある。【０００４】  本発明は、ハンガーを利用して、大きなサイズのタオル・マット等を効率良く干すことを目的とする。
【課題を解決するための手段】
【０００５】  本発明のタオル・マット等の構造は、タオル・マット等に、ハンガーを出し入れ固定することのできる袋をもうけ、その袋にハンガーの柄を出す穴をもうけるか、もしくはタオル・マット等の本体部分にハンガーの柄の部分を出す穴をもうける。またハンガーを出し入れ固定する袋と、本体部分の穴の両方をもうけることもできる。
【発明の効果】
【０００６】  本発明のタオル・マット等の構造によれば、一般的なハンガーを利用することにより、従来なら干すのに多くの場所をとっていたタオル・マット等を、シャツ１枚干す場合と同程度のスペースで干すことができる。
【発明を実施するための形態】
【０００７】  以下、本発明のタオル・マット等の構造を図面に示し、具体的に説明する。
【図面の簡単な説明】
【０００８】  図１は本発明のタオル・マット等の斜視図である。１はタオル・マット等の本体部分、２はハンガーを固定する袋部分、３はハンガーの柄を通すための穴、４はハンガーの柄を通す本体部分の穴である。【０００９】  図２は実際にタオル・マット等を干している状態を表した図であり、タオル・マット等の本体部分１と袋部分２にハンガー５が挟まれ、柄の部分を通す穴３からハンガーの柄が出ている状態を表す。【００１０】  図３はタオル・マット等のハンガーの柄を通す本体部分の穴４からハンガー５の柄を出し実際にタオル・マット等を干している状態を表す。
【符号の説明】１          タオル・マット等の本体部分２          タオル・マット等の袋部分３          ハンガーの柄を通す穴４          ハンガーの柄を通すタオル・マット等の本体部分の穴
【図１】
2012192146.tif 000003
【図２】
2012192146.tif 000004
【図３】
2012192146.tif 000005
(57)【要約】【課題】    家具、機器、壁、床間に出来た各すき間を塞ぐ事により、すき間に埃が溜まることを防ぎ、結露、カビの発生を防ぎ、各すき間の衛生を保つ事を特徴とするすき間衛生保持具を提供する。【解決手段】  通気性を有するシート部と、上記シート部を囲うようにして保持する枠部と、上記枠部を対象物に固定させるための固定部とを有することを特徴とするすき間衛生具。【選択図】図１
2012192149.tif 000002
【特許請求の範囲】
【請求項１】
通気性を有するシート部と、上記シート部を囲うようにして保持する枠部と、上記枠部を対象部に固定させるための固定部とを有することを特徴とするすき間衛生具。
【発明の詳細な説明】
【技術分野】
【０００１】  本発明は家具間、機器間、家具、機器と壁、床との間にできる各すき間を塞ぐ事によりすき間に埃が溜まることを防ぎ結露、カビの発生を防ぎ、すき間の衛生を保つ事を特徴とする発明である。
【背景技術】
【０００２】  従来、家具、機器、壁、床の間に出きる各すき間の衛生を保つための発明はなく、埃が溜まり結露、カビが発生した時は掃除をして取り除く以外にはなかった。
【発明の概要】
【発明が解決しようとする課題】
【０００３】  そのために、次のような問題点があった。
（イ）すき間に埃が溜まる。
（ロ）すき間に結露が発生しカビが発生する
（ハ）すき間にものが落ちる事がある。
本発明は以上の問題点を解決しようとするものである。
【問題を解決する為の手段】
【０００４】  通気性を有するシート部と、上記シート部を囲うようにして保持する枠部と、上記枠部を対象物に固定させるための固定部とを有することを特徴とするすき間衛生具。
【発明の効果】
【０００５】  本発明はすき間を塞ぐ事により埃が溜まることを防ぎ、通気性のある素材で覆った空気孔があることにより結露、カビの発生を防ぐ事ができ、すき間に物が落下することを防ぐ事が出来る。又すき間を防ぐ事により形成された空間に除湿剤、乾燥剤を挿入することにより尚一層の効果がある。
【図面の簡単な説明】
【０００６】
【図１】本発明の斜視図
【図２】本発明の断面図
【図３】本発明の上部正面図
【図４】壁と家具上面部に使用した時の断面図
【図５】壁と家具上面と正面部に使用した時の斜視図
【発明を実施するための形態】
本発明の形態の説明をする。以下は壁と家具上面部との間に出来るすき間で固定方法は接着剤、通気性のある素材は不織紙を使用したことを例としている。
【０００７】（Ａ）図面１に示す通り、板１はすき間に合った形状を持ち通風をするための空気孔２を板１ａに設け、空気孔を通気性のある不織紙３で覆う。
（Ｂ）板１ｂに家具上面部７接するように接着剤４を付ける。
（Ｃ）板５に家具の側面部８に接するように接着剤６を付ける。
（Ｄ）板１に板５を図１に示すように垂直に設ける。
本発明は以上の構成から成り、これを使用する場合、板１ｂの接着面４を壁１０と家具とのすき間を構成する側の家具の上面部７に、板５の接着面６を家具の側面部８に取り付けるとことによりと壁１０との間に出来るすき間を塞ぎ、また図５の様に壁と家具正面部９に上記と同様に本発明を取り付ける事により空間１１を形成することが出来る。
【他の実施の形態】
【０００８】板１、５の素材はプラスチック、木、紙、金属、樹脂等様々な素材を適用できる。
【０００９】板１ａに開ける空気孔の形状、数はいくつで可能である。
【０００１０】空気孔を覆う素材は通気性のあるものなら紙、布、等どのような素材のものでもよく、取り付ける方法は板１ａの下部、上部分、又は上下に挟み込むように設けてもよい。
【０００１１】板１ｂの４、板５の６の接着剤は粘着性のあるあらゆる接着剤、接着テープ、両面テープでもよく、接着剤をつける部分は板１ｂのみ、板５のみ、その両部分でもよい。また本発明を固定できればいかなる他の固定方法を用いてもよい。
【０００１２】  以上は、壁と家具上面部とのすき間を例に固定方法は接着剤、通気性のある素材は不織紙を使用したこととしたが、壁と機器、家具と家具、機器と機器、又は家具、機器と床のすき間等あらゆるすき間についても同様の効果が出来る衛生具である。
【０００１３】  本発明の一実施形態によれば、すき間衛生具は、通気性を有するシート部と、上記シート部を囲うようにして保持する枠部と、上記枠部を対象部に固定させる固定部とを有する。これにより、すき間衛生具の固定部が例えば家具の上面後部に対して固定されると、家具の背後に出来るすき間を、通気性を有するシート部によって塞ぐ事が出来る。
【符号の説明】
【０００１４】１：１ａ、１ｂ  本体の板
２    空気孔
３    通気性のある不織紙
４    １ｂに付けた接着剤
５    板１に垂直に取り付ける板
６    板５に付けた接着剤
７    家具の上面部
８    家具の側面部
９    家具の正面部
１０  壁
１１  空間
【図１】
2012192149.tif 000003
【図２】
2012192149.tif 000004
【図３】
2012192149.tif 000005
【図４】
2012192149.tif 000006
【図５】
2012192149.tif 000007
(57)【要約】【課題】  一つの浴室用椅子で親子等、座高に差がある人同士が、背中を洗い合う動作を楽にする事ができ、小さな子供が座って浴室床に足が届かなくても、椅子に付いている足置きに足を置くことで安定させる事ができる。【解決手段】  座面２、３が上下２段に連設されており、上方の座面２と下方の座面３が結合されている。このように座面が大きく上下に２段連設し、結合しているので親子等での利用が可能になり、座高に差がある人同士が、背中を洗い合う動作を楽にする事ができ、側壁５から段差６０が結合されているので、その段差を足置きとして利用し、身体を安定させる事ができる。【選択図】  図１
2012192135.tif 000002
【特許請求の範囲】
【請求項１】
座面が上下２段に連設されており、結合されていて、側面周りに子供の足置きになる段差のついた浴室用椅子。
【発明の詳細な説明】
【技術分野】
【０００１】
本発明は、公衆浴場、一般家庭浴室の複数人で座るための椅子に関する。
【背景技術】
【０００２】
従来の浴室用椅子には、一人で体を洗う際に利用する事を目的として、親子等、複数人で利用できるよう大小複数の浴室用椅子を収容できるよう施したものがある。(出願番号  特願平９−２９８３４０参照)。
【０００３】
また、高齢者が身体を洗浄する動作を容易に行える事を目的として、上下２段の座面をなだらかな傾斜面によって結合したものがある。（出願番号  特願平９−１０４８８８参照）。
【先行技術文献】
【特許文献】
【０００４】
【特許文献１】特開平１１−１２８１０３号公報
【特許文献２】特開平１０−２９５５７５号公報
【発明の概要】
【発明が解決しようとする課題】
【０００５】
しかしながら、親子等で背中を洗い合う（体を洗い合う）際に大小複数の浴室用椅子を用意すると、座りながら背中を洗い合うことは可能となるが、従来の浴室用椅子に、二人以上で座る座面スペースが無いので、一つの椅子に親子で座り、背中を洗い合う事が出来なかった。また、公衆浴場では、各洗い場に一つの浴室用椅子しか置いてない為、一箇所の洗い場を複数人で使用したい時に、他の洗い場の浴室用椅子を持って来る事になり、他人に迷惑が掛かった。そして、座高の違う親子等が、背中(体)を洗い合う際、従来の浴室用椅子では、お互いに洗いずらく、椅子の種類にもよるが、子供が椅子に座ったときに足が浴室床に届かなく、不安定で危険性があった。
【０００６】
したがって、この発明の目的は、一つの浴室用椅子に、親子等、複数人で座り、座高が違っても、背中(体)を洗いやすくし、小さな子供が安定して座る事が可能となる浴室用椅子を提供する事である。
【課題を解決するための手段】
【０００７】
請求項１の発明の浴室用椅子は、座面が上下２段に連設され、結合していて、側面周りには、段差が付いている。
【０００８】
このように、一つの浴室用椅子で上下２段に連設、結合されているので、親子等の座高の差に関係なく背中を洗い合う事ができ、側面周りには、段差が付いているので、子供の足を置くことができる。
【０００９】
また、前の人の背中を洗いやすくするため、上の座面を前後、左右、上下自由にスライドできる様に上下の座面の結合部を危険性の無い止め具で固定する事も好ましく、下段の座面の高さ調節も同じ止め具で自由に固定できると、より良い。
【００１０】
上の座面に座った時の安定、安全性を考えると、上座面の背凭れを付ける事や、椅子と浴室床の接する面に滑り止めをつける事、浴室用椅子の側壁をピラミッド状に斜めにして安定感を出す事もできる。
【００１１】
複数人が座れて収納性も考えると、コンパクトにする時は、上段と下段をスライドさせて、上段座面の下に下段座面が入るようにすると、より便利である。
【００１２】
請求項１の発明の浴室用椅子の材質は、特に限定されず、例えば、肌触りが柔らかで、身体への接触時に冷たさを感じさせない高密度ポリエチレン、ポリプロピレン等の熱可塑性合成樹脂、繊維強化不飽和ポリエステル樹脂（ＦＲＰ）等が挙げられる。
【００１３】
請求項１の座面の形状は、特に限定されないが、安定して腰をかける事が出来るよう、楕円、曲面状に凹んでいるのが好ましく、汚水等が溜まらないよう、中央に水抜き孔を付けるのが好ましい。また、座面の面積をそれぞれ変えても体格により座りやすい。
【００１４】
請求項１の上下２段の結合部の形状は、特に限定されないが、傾斜であれば、背凭れとして用いる事により姿勢が楽になる。
【発明の効果】
【００１５】
この発明の浴室用椅子によれば、叙上の通り構成されているので複数人でも座れると同時に、親子等で入浴し、背中を洗い合う際に便利に使用することができる。また、上段に座る子供が、浴室床に足が届かなくても身体が安定するように、足も置く事ができ、安全である。
【図面の簡単な説明】
【００１６】
【図１】請求項１の発明の浴室用椅子の１例を示す図。
【図２】図１に示されている請求項１の発明の浴室用椅子の使用状態を示す説明図。
【発明を実施するための形態】
【００１７】
以下請求項１の発明の浴室用椅子の実施例を図面に基いて説明する。図１は請求項１の発明の浴室用椅子の１例を示す図、図２は図１に示されている請求項１の発明の浴室用椅子の使用状態を示す図である。
【００１８】
図１に於いて、１は座面２，３が上下２段に連設された浴室用椅子である。
【００１９】
上方の座面２と下方の座面３の中央には、水抜き孔２１、３１があり、上方の座面２と下方の座面３とは、なだらかな傾斜面４によって結合されている。
【００２０】
座面２、３の周囲には側壁５が垂設されており、側壁５には、水抜き孔２１、３１から滴下された汚水が側壁５内に滞留されないよう、水抜き用切欠５１が設けられている。
【００２１】
側壁５には座面２に座った人の足が掛けられる段差６０が設けられている。
【００２２】
浴室用椅子１に2人で座って背中を洗う際には、座面２に１人、座面３に１人座り、お互いの背中の洗浄動作を交互に行う。
【符号の説明】
【００２３】
１  浴室用椅子
２  上方の座部
３  下方の座部
４  ２、３の結合部(傾斜面)
【図１】
2012192135.tif 000003
【図２】
2012192135.tif 000004